(57)【要約】【課題】膝および腋などの身体同士が触れることによってできる褥瘡を予防するのに適した褥瘡予防用ピローを提供する。【解決手段】外装材１と、この外装材１に充填された詰め物材とからなる褥瘡予防用ピローであって、詰め物材は、角型のフォーム片２と発泡ビーズ３とを混合したものであり、フォーム片２と発泡ビーズ３の割合が、容積比５０：５０〜７５：２５の範囲内で設定されている。【選択図】図１
2010207440.tif 000002
【特許請求の範囲】
【請求項１】
外装材と、この外装材に充填された詰め物材とからなり、前記詰め物材は、フォーム片と発泡ビーズとを混合したものであり、前記フォーム片と前記発泡ビーズの割合が、容積比５０：５０〜７５：２５の範囲内で設定されていることを特徴とする褥瘡予防用ピロー。
【請求項２】
前記フォーム片は、一辺が３０ｍｍ以下の立方体であることを特徴とする請求項１に記載の褥瘡予防用ピロー。
【請求項３】
前記発泡ビーズは、直径が１ｍｍ以下の球体であることを特徴とする請求項２に記載の褥瘡予防用ピロー。
【発明の詳細な説明】
【技術分野】
【０００１】
本発明は、褥瘡予防用ピローに関するものである
【背景技術】
【０００２】
従来、この種のものとして多くのクッション体が提案されており、それらは外装材と外装材に充填された詰め物材から構成されており、詰め物材にビーズのみを用いた商品は非常に多く市販されている。しかし、ビーズのみの場合、流動性が大きく、つまり、使った直後のみ形状が安定し、利用中に次第にビーズが流れる。そのため、特に寝たきり患者の褥瘡予防には用いることができない。
【０００３】
一方で、詰め物に発泡体ビーズに加え、ウレタンチップを用いることにより流動性を抑えたものが提案されている。例えば、特許文献１には、健常者向けに座布団、布団、ベッド、ソファー、枕、マットレスとして用いるクッション体が示されている。また、特許文献２には、褥瘡（床ずれ）を防止することを目指し、上層にフォーム片、下層にフォーム球を充填したものを用いたマットが示されている。仙骨部分、肩甲骨部分、腰骨などがその対象とされている。
【先行技術文献】
【特許文献】
【０００４】
【特許文献１】特開平１１−３３２６９７号公報
【特許文献２】特開２００４−１８０９０３号公報
【発明の概要】
【発明が解決しようとする課題】
【０００５】
特許文献１には、非常に広い外径寸法の範囲が示されているため、この特許文献１に記載のものでは、健常者には個々の嗜好に合わせて、より良いクッション体を作れるものの、そのままでは、患者の褥瘡予防ピローとしての利用に耐えうる条件とはならない。特許文献２に記載のものは、仙骨部分、肩甲骨部分、腰骨では、身体とマットレスが触れて褥瘡ができるため、広い接触面積を対象として体圧分散させるのに対し、膝間および腋では、身体同士の接触による褥瘡のため、接触面積が小さく、複雑な形状の身体同士の接触のため、接触圧力が局所的に高くなり、必要とされる特性が大きく異なる。
【０００６】
本発明は上記点に鑑みて、膝および腋などの身体同士が触れることによってできる褥瘡を予防するのに適した褥瘡予防用ピローを提供することを目的とする。
【課題を解決するための手段】
【０００７】
上記目的を達成するため、請求項１に記載の発明は、外装材と、この外装材に充填された詰め物材とからなり、前記詰め物材は、フォーム片と発泡ビーズとを混合したものであり、前記フォーム片と前記発泡ビーズの割合が、容積比５０：５０〜７５：２５の範囲内で設定されている褥瘡予防用ピローを特徴とする。
【０００８】
このようにピローにおける詰め物材としてフォーム片と発泡ビーズとを混ぜたものとし、両者の割合を容積比５０：５０〜７５：２５の範囲内で設定することにより、適度な流動性が得られ、褥瘡予防の効果を得ることができる。特に、膝、腋などの身体同士が触れることによってできる褥瘡に対し、膝間、腋の接触圧力を低下させることができ、褥瘡を適切に予防することができる。
【０００９】
また、請求項２に記載の発明のように、前記フォーム片は、一辺が３０ｍｍ以下の立方体であること、請求項３に記載の発明のように、前記発泡ビーズは、直径が１ｍｍ以下の球体であることとすれば、上記の効果をより適切に得ることができる。
【図面の簡単な説明】
【００１０】
【図１】本発明の一実施形態における褥瘡予防用のピローの断面構成を示す図である。
【図２】ピローの対象とする下肢の状態を示す図である。
【図３】ピローの圧縮特性を示す図である。
【図４】ピローの圧縮特性を示す図である。
【図５】ピローの膝間の圧力測定の結果を示す図表である。
【図６】ピローの圧縮特性を、同じフォーム片のサイズで比較した結果を示す図である。
【図７】フォーム片と発泡ビーズの付着状態を示す図である。
【図８】ピローの圧縮特性を市販品の結果と比較した結果を示す図である。
【発明を実施するための形態】
【００１１】
本発明の一実施形態に係る褥瘡予防用のピローは、図１に示すように、外装材１と、この外装材１に充填された詰め物材とからなり、詰め物材は、角型（立方体）のフォーム片(例えば、ウレタンからなる)２と球体である発泡ビーズ３とを混合したものとなっている。外装材１としては、例えば二方向に伸びる高伸縮性生地のものを用いることができる。
【００１２】
ピローにおける詰め物材として、フォーム片２と発泡ビーズ３とを混ぜたものとすることにより、従来の技術では得られなかった適度な流動性が得られ、底付きせず弾力性を有しつつ、体圧分散性を得ることにより、図２に示したような寝たきり患者に良くみられる身体状態に対して、褥瘡予防の効果を得ることができる。つまり、フォーム片２と発泡ビーズ３の両方の変形と流動（移動）により、接触圧力が局所的に高くなる膝間および腋の接触圧力を低下させることができる。なお、図２は、ピローの対象とする下肢の状態を示しており、（１）は膝が伸びていて、常時膝が接触している状態、（２）は、膝が交差していて、常時膝が接触している状態、（３）は、体育座りの姿勢で、常時膝が接触している状態を示している。
【００１３】
図１に示す構成のピローにおいて、角型のフォーム片２に、１５ｍｍ角、３０ｍｍ角、４０ｍｍ角の３種類を用い、発泡ビーズ３と角型のフォーム片２の比率を１００：０〜０：１００の間で変化させたピローを試作し、その圧縮特性を調べた。平板の上にピローを置いてピローの上から直径１００ｍｍの円盤で押し、その力−変位線図を測定した結果を図３に示す。それぞれの力−変位線図において、矢印で示した負荷過程により、力は変位とともに増加する。圧縮を止めると、多孔質体特有の力の緩和を示し、力は６０Ｎから２０Ｎ程度に低下する。除荷を始めると、力は変位とともに低下する。
【００１４】
なお、図中のＣ−１５−２５における「１５」は角型フォーム片２が１５ｍｍ角、「２５」はその量が２５％であることを示している。Ｃ１５−２５、Ｃ１５−５０、Ｃ１５−７５の結果を比べると、Ｃ１５−２５のような角型フォーム片２の量が２５％のように少ない（発泡ビーズ３の量が多い）と、作用する力（つまり圧力）が高くなる。つまり、発泡ビーズのみのクッションでは、圧力が高くなり褥瘡に使えない。これは、介護現場（病院、介護施設）でも言われていることであり、実際の発泡ビーズ３のみのクッションの使用結果を正しく表した結果になっている。
【００１５】
さらに、それ以外の組み合せで実験を行った結果を示した図４と前述の図３をみると、角型フォーム片２の充填比率が５０％〜７５％の時はすべて、標準的な圧縮量６０％に対し生じる圧力は３０ｍｍＨｇ程度で、褥瘡が発生するといわれている毛細血管内圧３２ｍｍＨｇ以下になっており、角型フォーム片２の充填比率が５０％〜７５％、つまりフォーム片２と発泡ビーズ３の割合が、容積比５０：５０〜７５：２５範囲内で設定されていると褥瘡の予防に有効である。なぜなら、この条件下では、フォーム片２と発泡ビーズ３の変形と流動（移動）が適度で接触圧力が局所的に高くなる膝間および腋の接触圧力を低下させることができているからである。逆に言うと、角型フォーム片２の充填比率が２５％の場合は、膝間および腋の接触圧力が高く、褥瘡の予防に適さない。
【００１６】
なお、Ｃ１５−５０（角型フォーム片２の充填比率が５０％）、Ｃ１５−７５（７５％）、Ｃ４０−７５（７５％）が最も圧力が低い３つであり、その配合領域において、褥瘡予防に効果が最も高くなることがわかる。また、それらを用いて、健常者に対し、試作したピローを用いて膝の間の圧力を測定したところ図５のようになり、Ｃ１５−５０の配合の場合、膝間の圧力が最も低くなることがわかる。
【００１７】
図６に、充填比率を同じにし、フォーム片２のサイズのみを１５ｍｍ角、３０ｍｍ角、４０ｍｍ角と変化させ、圧縮挙動を比較した結果を示す。１５ｍｍ角、３０ｍｍ角の結果は、４０ｍｍ角の結果に比べ、圧力が低くなっている。１５ｍｍ角と３０ｍｍ角の圧力はほぼ同じで、フォーム片２のサイズが大きくなると、接触圧力が大きくなり、褥瘡予防に効果が低くなり、フォーム片２のサイズが３０ｍｍ角以下の場合、褥瘡予防に非常に適していることがわかる。発泡ビーズ３の大きさ（直径）が１ｍｍ以下の場合、発泡ビーズ３に静電気が生じやすくなり、特有の流動性を示す。これは、図７に示すものからもわかる。図７は、透明ビニール袋を用い、その中に、上記の角型のフォーム片２と発泡ビーズ３とを混合したものを入れた状態を示しており、発泡ビーズ３がフォーム片２のまわり全体に付着している。発泡ビーズ３の大きさが１ｍｍ以下で設定され、静電気によりフォーム片２のまわりに発泡ビーズ３が多く付着し流動性が生じているときにのみ、上記の効果は発現する。
【００１８】
図８に、３種の市販品と比べ、上記のピローが優位であることを総合的に示す。上記したピローの中で最も圧力が大きくなるＣ４０−２５でさえ、株式会社モルテン製のポスフィット（商品名）、株式会社タイカ製のウエルピー（商品名）と同等の圧力、もしくは力−変位線図を示す。例えば、ポスフィット（商品名）、ウエルピー（商品名）、Ｃ４０−２５では、圧縮量６０％に対し、圧力が３０ｍｍＨｇ程度で、同じである。一方、株式会社ケープ製のケープ（商品名）では、圧縮量４０％に対し、圧力が９０ｍｍＨｇを超え、非常に高い圧力を示す。それに対し、最も圧力の高いＣ４０−２５でさえ、２種の市販品と同じなので、それより圧力の低いＣ４０−２５以外の全ての配合のピローは、病院や介護施設でよく用いられている３種の市販品より低い圧力になることがわかる。
【００１９】
なお、上記した実施形態では、フォーム片２として立方体からなるものを示したが、完全な立方体でなくても各辺の大きさにばらつきがあってもよく、また直方体からなるものであってもよい。また、発泡ビーズ３として球体であるものを示したが、表面に凹凸がある球状のものであってよく、また楕円球体であってもよい。
【符号の説明】
【００２０】
１      外装材
２      フォーム片
３      発泡ビーズ
【図１】
2010207440.tif 000003
【図２】
2010207440.tif 000004
【図３】
2010207440.tif 000005
【図４】
2010207440.tif 000006
【図５】
2010207440.tif 000007
【図６】
2010207440.tif 000008
【図７】
2010207440.tif 000009
【図８】
2010207440.tif 000010